(57)【特許請求の範囲】
【請求項１】
ユーザ装置において使用される装置であって、
直交周波数分割多重（OFDM）シンボルにおいて第１のアンテナポートについての参照信号系列を受信し、
前記参照信号系列が第２のアンテナポートで他のUEに送信されるという仮定及び前記受信した参照信号系列に基づいてUEの前記第１のアンテナポートについてチャネルを推定するチャネル推定回路と、
前記チャネル推定回路に結合され、前記チャネルの推定を受信し、受信信号を補償するチャネル補償回路と、
前記仮定及び
【数３９】
0006483209.tif 000037
により与えられるスクランブリング初期化シードcintに基づいて、拡張された物理下りリンク制御チャネル（EPDCCH）のブラインド復号化動作を実行し、ただし、nsは無線フレーム内のスロット番号であり、NIDePDCCHは下りリンク制御情報（DCI）が送信されるEPDCCHセットに対応する仮想セル識別子である復号化回路と
を有する装置。
【請求項２】
前記チャネル推定回路は、前記仮定に基づいて受信信号で拡散解除動作を実行する、請求項１に記載の装置。
【請求項３】
前記拡散解除動作は、直交カバーコードに基づく、請求項２に記載の装置。
【請求項４】
前記チャネル補償回路は、前記チャネルの前記推定に基づいて前記受信信号を補償する、請求項１ないし３のうちいずれか１項に記載の装置。
【請求項５】
前記参照信号系列は、r(m)であり、
【数３５】
0006483209.tif 000038
により与えられる、請求項１ないし４のうちいずれか１項に記載の装置。
【請求項６】
実行された場合、ユーザ装置に対して、
直交周波数分割多重（OFDM）シンボルにおいて第１のアンテナポートについての参照信号系列を受信させ、
前記参照信号系列が第２のアンテナポートで他のUEに送信されるという仮定及び前記受信した参照信号系列に基づいてUEの前記第１のアンテナポートについてチャネルを推定させ、
前記チャネルの推定を受信させ、受信信号を補償させ、
前記仮定及び
【数３９】
0006483209.tif 000039
により与えられるスクランブリング初期化シードcintに基づいて、拡張された物理下りリンク制御チャネル（EPDCCH）をブラインドで復号化させ、ただし、nsは無線フレーム内のスロット番号であり、NIDePDCCHは下りリンク制御情報（DCI）が送信されるEPDCCHセットに対応する仮想セル識別子であるコンピュータプログラム。
【請求項７】
実行された場合、ユーザ装置に対して、
前記仮定に基づいて受信信号で拡散解除動作を実行させる、請求項６に記載のコンピュータプログラム。
【請求項８】
前記拡散解除動作は、直交カバーコードに基づく、請求項７に記載のコンピュータプログラム。
【請求項９】
実行された場合、ユーザ装置に対して、
前記チャネルの前記推定に基づいて前記受信信号を補償させる、請求項６ないし８のうちいずれか１項に記載のコンピュータプログラム。
【請求項１０】
前記参照信号系列は、r(m)であり、
【数３６】
0006483209.tif 000040
により与えられる、請求項６ないし８のうちいずれか１項に記載のコンピュータプログラム。
【請求項１１】
請求項６ないし１０のうちいずれか１項に記載のコンピュータプログラムを記憶した１つ以上のコンピュータ読み取り可能記憶媒体。
【請求項１２】
実行された場合、ユーザ装置に対して、
UEとenhanced  node  Bとの間の通信のために第１のアンテナポートで受信された参照信号系列が第２のアンテナポートの通信にも使用されることを決定させ、
前記決定及び
【数３９】
0006483209.tif 000041
により与えられるスクランブリング初期化シードcintに基づいて、拡張された物理下りリンク制御チャネル（EPDCCH）のブラインド復号化動作を実行させ、ただし、nsは無線フレーム内のスロット番号であり、NIDePDCCHは下りリンク制御情報（DCI）が送信される拡張された物理下りリンク制御チャネル（EPDCCH）セットに対応する仮想セル識別子であるコンピュータプログラム。
【請求項１３】
実行された場合、前記ユーザ装置に対して、更に、
直交周波数分割多重（OFDM）シンボルにおいて前記第１のアンテナポートでの前記参照信号系列を処理させ、
前記参照信号系列が第２のアンテナポートの通信にも使用されるという決定及び前記参照信号系列に基づいて前記UEの前記第１のアンテナポートについてチャネルを推定させる、請求項１２に記載のコンピュータプログラム。
【請求項１４】
実行された場合、前記ユーザ装置に対して、更に、
前記チャネルの推定に基づいて受信信号を補償させる、請求項１２に記載のコンピュータプログラム。
【請求項１５】
請求項１２ないし１４のうちいずれか１項に記載のコンピュータプログラムを記憶した１つ以上のコンピュータ読み取り可能記憶媒体。
【請求項１６】
ユーザ装置において使用される装置であって、
直交周波数分割多重（OFDM）シンボルにおいて第１のアンテナポートについての参照信号系列を受信し、
前記参照信号系列が第２のアンテナポートで他のUEに送信されるという決定及び前記受信した参照信号系列に基づいてUEの前記第１のアンテナポートについてチャネルを推定し、
前記決定及び
【数３９】
0006483209.tif 000042
により与えられるスクランブリング初期化シードcintに基づいて、ブラインド復号化動作を実行し、ただし、nsは無線フレーム内のスロット番号であり、NIDePDCCHは下りリンク制御情報（DCI）が送信される拡張された物理下りリンク制御チャネル（EPDCCH）セットに対応する仮想セル識別子である回路を有する装置。
【請求項１７】
前記チャネルの推定を受信し、受信信号を補償する回路を更に有する、請求項１６に記載の装置。
【請求項１８】
前記回路は、仮定に基づいて受信信号で拡散解除動作を更に実行する、請求項１６又は１７に記載の装置。
【請求項１９】
前記拡散解除動作は、直交カバーコードに基づく、請求項１８に記載の装置。
【請求項２０】
前記回路は、前記チャネルの前記推定に基づいて受信信号を更に補償する、請求項１６ないし１９のうちいずれか１項に記載の装置。
【発明の詳細な説明】
【技術分野】
【０００１】
この出願は、 “Advanced  Wireless  Communication  Systems  and  Techniques”という題で2012年8月3日に出願された米国仮特許出願第61/679,627号、“Advanced  Wireless  Communication  Systems  and  Techniques”という題で2012年8月23日に出願された米国仮出願61/692,597号、“Advanced  Wireless  Communication  Systems  and  Techniques”という題で2012年9月28日に出願された米国仮特許出願第61/707,784号、及び“Advanced  Wireless  Communication  Systems  and  Techniques”という題で2012年11月1日に出願された米国仮特許出願第61/721,436号の優先権を主張し、これらの全開示を援用する。
【０００２】
本発明の実施例は、概して無線ネットワークに関し、特に、拡張された物理下りリンク制御チャネル（enhanced  physical  downlink  control  channel）のスクランブリング及び復調用参照信号系列（demodulation  reference  signal  sequence）の生成に関する。
【背景技術】
【０００３】
既存の3GPP  LTEネットワークでは、下りリンク制御情報（DCI：downlink  control  information）は、ユーザ装置（UE：user  equipment）に特有のスクランブリング系列を使用してスクランブリングされることがある。
【０００４】
しかし、目的のUE以外のUEが目的のUEに指示されたDCIをうまくスクランブリング解除及び復号化する状況が存在し得る。これらの状況では、UEは、DCIで誤って動作し、エラー又は他の非効率性を生じる可能性がある。
【図面の簡単な説明】
【０００５】
【図１】様々な実施例によるUE及びeNBを有するネットワークシステムのハイレベルの例の概略図
【図２】様々な実施例によるUE及びeNBの構成要素の図
【図３】様々な実施例によるセルA及びBのサブフレームの図
【図４】様々な実施例による受信回路の図
【図５】様々な実施例による通常のCPを使用したEPDDCHの例示的なUE-RSパターンの図
【図６】様々な実施例による通常のCPを使用したEPDDCHの例示的なUE-RSパターンの図
【図７】様々な実施例による通常のCPを使用したEPDDCHの例示的なUE-RSパターンの図
【図８】様々な実施例による通常のCPを使用したEPDDCHの例示的なUE-RSパターンの図
【図９】様々な実施例による方法の図
【図１０】ここに記載の様々な実施例を実施するために使用され得る例示的なシステムの概略図
【発明を実施するための形態】
【０００６】
実施例は、添付図面と共に以下の詳細な説明により容易に理解できる。説明を容易にするために、同様の参照符号は同様の構成要素を示す。実施例は、添付図面において限定ではなく、例示により示されている。
【０００７】
この開示の例示的な実施例は、拡張された物理下りリンク制御チャネルのスクランブリング及び復調用参照信号系列の生成のための方法、システム、コンピュータ読み取り可能媒体及び装置を含むが、これらに限定されない。
【０００８】
例示的な実施例の様々な態様について、研究の内容を他の当業者に伝えるために当業者により一般的に使用される用語を使用して説明する。しかし、記載の態様のいくつかのみを用いて別の実施例が実施されてもよいことは、当業者に明らかである。例示的な実施例の完全な理解を提供するために、説明の目的で特定の番号、素材及び構成が示されている。しかし、特定の詳細なしに別の実施例が実施されてもよいことは、当業者に明らかである。他にも、例示的な実施例を曖昧にしないように、周知の特徴は省略又は簡略化されている。
【０００９】
更に、様々な動作は、例示的な実施例を理解するのに最も有用な方法で、順に複数の別個の動作として記載されている。しかし、記載の順序は、これらの動作が必ずしも順序に依存することを意味するように解釈されるべきではない。特に、これらの動作は、提示の順序で実行される必要はない。
【００１０】
“或る実施例では”という語句が繰り返し使用される。この語句は、一般的に同じ実施例を示しているものではないが、示してもよい。文脈が他のものを示さない限り、“有する”、“持つ”及び“含む”という用語は同義語である。
【００１１】
“A及び／又はB”という語句は、(A)、(B)又は(A及びB)を意味する。“A／B”及び“A又はB”という語句は、“A及び／又はB”という語句と同様に、(A)、(B)又は(A及びB)を意味する。
【００１２】
ここで使用される“回路”という用語は、記載の機能を提供するように構成された特定用途向け集積回路（ASIC：Application  Specific  Integrated  Circuit）、電子回路、論理回路、プロセッサ（共有、専用又はグループ）及び／又はメモリ（共有、専用又はグループ）のようなハードウェアコンポーネントを示し、或いはハードウェアコンポーネントの一部であり、或いはハードウェアコンポーネントを含む。或る実施例では、回路は、記載の機能の少なくともいくつかを提供するために１つ以上のソフトウェア又はファームウェアプログラムを実行してもよい。
【００１３】
図１は、様々な実施例によるネットワーク環境100を概略的に示している。ネットワーク環境100は、無線（OTA：over-the-air）インタフェースを介して無線アクセスネットワーク（RAN：radio  access  network）のevolved  Node  B（eNB）108に無線で結合されたユーザ装置（UE：user  equipment）104を含む。RANは、3GPP  LTE  Advanced（LTE-A）ネットワークの一部でもよく、EUTRAN（evolved  universal  terrestrial  radio  access  network）と呼ばれてもよい。他の実施例では、他の無線アクセスネットワーク技術が利用されてもよい。
【００１４】
UE104は、eNB108との通信を実現するために様々な通信プロトコルを実装する通信デバイス112を含んでもよい。通信デバイス112は、チップ、チップセット、又はプログラムされた回路及び／又は予め構成された回路の他の集合でもよい。或る実施例では、通信デバイス112は、ベースバンド回路、無線周波数回路等を含んでもよく、これらの一部でもよい。
【００１５】
通信デバイス112は、RANでの通信に関する様々な制御動作を実行する制御回路114を含んでもよい。これらの制御動作は、上りリンク制御情報の決定、リソース割り当て等を含んでもよい。制御回路114は、無線リソース制御レイヤ116を含んでもよく、送受信回路120に結合され、送受信回路120の動作を制御してもよい。送受信回路120は、次に１つ以上のアンテナ124に結合される。
【００１６】
eNB108は、通信デバイス122、制御回路126、RRCレイヤ128、送受信回路132及び１つ以上のアンテナ136のような同様の構成要素を有してもよい。制御回路124はまた、参照信号（RS：reference  signal）生成器140を含んでもよい。
【００１７】
図２は、Tx回路200及びRx回路204を示している。或る実施例によれば、Tx回路200及びRx回路204は、それぞれ送受信回路132及び120に含まれてもよい。Tx回路200及びRx回路204は、拡張された物理下りリンク制御チャネル（EPDCCH：enhanced  physical  downlink  control  channel）送信を送受信するために使用されてもよい。EPDCCH送信は、UE又はUEのグループのリソース割り当て及び他の制御情報を含む下りリンク制御情報を伝達してもよい。各EPDCCH送信は、１つ以上の拡張された制御チャネル要素（ECCE：enhanced  control  channel  element）を含んでもよい。
【００１８】
Tx回路200は、ビット（例えば、下りリンク制御情報（DCI：downlink  control  information）ビット）を受信し、CRCビットを生成し、CRCビットをDCIビットに追加し、DCI+CRCビット系列をマスキングする巡回冗長検査（CRC：cyclic  redundancy  check）生成及びマスキング回路220を含んでもよい。DCI+CRCビット系列のマスキングは、ePDCCH送信の対象の受信者であるユーザ装置のRNTI（radio  network  temporary  identity）に基づいてもよい。一実施例では、CRCビットは、DCIビットに追加されてもよく、結果の系列は、UE1に関連するRNTI1に基づいてマスキングされてもよい。
【００１９】
Tx回路200は、マスキングされたビット系列を受信し、系列を選択されたチャネル符号化方式で符号化する符号化回路212を更に含んでもよい。チャネル符号化方式は、リードマラー（RM：Reed  Muller）符号、デュアルRM符号、４倍（quad）RM符号、テールバイティング畳み込み符号（TBCC：tail-biting  convolutional  code）、ターボ符号等でもよい。符号化回路212はまた、レートマッチング（例えば、バーチャルサーキュラーバッファ（virtual  circular  buffer）レートマッチング）を実行してもよい。56個のDCIビット、16個のCRCビット及び1/2の符号化レートが与えられた場合、符号化回路212は、144ビットの符号化系列を出力してもよい。
【００２０】
Tx回路200は、符号化ビット系列を受信及びスクランブリングし、スクランブリングされたビット系列を提供するスクランブリング回路216を更に含んでもよい。スクランブリング回路のスクランブリングはセル識別子に基づいてもよい。
【００２１】
符号化されたビットストリームは、
【００２２】
【数１】
0006483209.tif 000002
に従ってスクランブリングされてもよい。ただし、
【００２３】
【数２】
0006483209.tif 000003
はスクランブリングされたビット系列であり、b(i)は符号化されたビット系列であり、c(i)はスクランブリング系列（例えば、擬似乱数系列（例えば、Gold系列、擬似雑音（PN：pseudo-noise）系列、Kasami系列等））である。
【００２４】
スクランブリング回路216は、スクランブリング系列を提供するスクランブリング系列生成器を含んでもよい。スクランブリング系列生成器は、スクランブリング系列c(i)を生成するために、各サブフレームの開始のときに初期化シードcintで初期化されてもよい。初期化シードは、
【００２５】
【数３】
0006483209.tif 000004
により与えられるセル特有のシードでもよい。ただし、nsは0から19まで変化する無線フレーム内のスロット番号であり、NIDcellはセル識別子のような初期化シードパラメータでもよい。
【００２６】
協調マルチポイント（CoMP：coordinated  multipoint）のシナリオでは、初期化シードパラメータは、仮想セル識別子（例えば、NIDePDCCH）でもよく、上位レイヤにより割り当てられてもよい。例えば、RRCレイヤ128は、仮想セル識別子によってスクランブリング回路215を構成してもよい。１つより多くのEPDCCHセット（例えば、２つのEPDCCHセット）が使用される実施例では、構成された仮想セル識別子は、EPDCCHセットiにおけるEPDCCH送信についてNID,iePDCCHとして与えられてもよい。従って、初期化シードパラメータは、EPDCCHセットに対応する。或る実施例では、EPDCCHセットiの仮想セルIDは、EPDCCHに関連するUE特有のRS初期化に使用されるものと同じでもよい。
【００２７】
或る実施例では、仮想セルIDが構成されない場合、初期化シードパラメータは、物理セル識別子でもよい。
【００２８】
スクランブリングされたビット
【００２９】
【数４】
0006483209.tif 000005
は、例えばQPSK変調を使用して、変調回路220により変調されてもよい。これは、複素数値のシンボルd(0),...,d(Msymb-1)のブロックを生じてもよい。ただし、Msymb=Mbit/2=2scRBであり、NscRBはリソースブロックのサブキャリア数であり、12に等しくてもよい。複素数値のシンボルは、チャネル222でRx回路204に送信されてもよい。
【００３０】
複素数値のシンボルのブロックは、Rx回路204の復調回路224により受信されてもよい。復調回路224は、複素数値のシンボルのブロックを復調し、スクランブリングされたビットのブロックを提供してもよい。
【００３１】
Rx回路204は、スクランブリングされたビットのブロックを受信及びスクランブリング解除し、符号化されたビット系列を提供するために、復調回路224に結合されたスクランブリング解除回路228を更に含んでもよい。スクランブリング解除回路228は、セルIDに基づいてスクランブリングされたビットのブロックをスクランブリング解除してもよい。セルIDが仮想セルIDである場合、これは予め決められてもよく、RRCレイヤ116によりスクランブリング解除回路228に提供されてもよい。セルIDが物理セルIDである場合、制御回路114は、eNB108によりブロードキャストされたプライマリ及びセカンダリ同期信号に基づいてこの値を導出してもよい。スクランブリング解除回路228により使用されるセルIDがスクランブリング回路216により使用されるセルIDと一致した場合、ビットは正しくスクランブリング解除される。
【００３２】
Rx回路204は、符号化されたビット系列を受信及び復号化し、DCI+CRCビット系列を提供するために、スクランブリング解除回路228に結合された復号化回路232を更に含んでもよい。
【００３３】
Rx回路204は、ビット系列をマスキング解除し、CRCビットを除去及び検査するために、復号化回路232に結合されたマスキング解除及びCRC検査回路236を更に含んでもよい。マスキング解除は、受信デバイス（例えば、UE104）のRNTIに基づいてもよい。RNTIがマスキング動作で使用されるものと一致した場合、ビット系列は正しく見なされてもよい。DCIビットは、例えば制御回路114の高レイヤに送信されてもよい。
【００３４】
RNTIのようなUE識別子ではなくセルIDを初期化シードとして使用することは、対象でないUEが正しくDCIをスクランブリング解除及び復号化することを生じ得る誤った警報を余り生じない可能性がある。
【００３５】
この説明は、EPDCCHにおけるDCI送信について詳述しているが、セル識別子に基づくスクランブリングを含む同様の送信処理は、EPDCCHに関連するユーザ特有の復調用参照信号（UE-RS）の送信のような他の送信にも使用されてもよく、これに限定されない。
【００３６】
RS生成器140は、UE104がアンテナポートにより送信されたデータのチャネル推定を導出することを可能にするために、eNB108のアンテナポートから送信され得るUE-RSを生成してもよい。アンテナポートは、１つ以上の物理送信アンテナに対応してもよい。しかし、アンテナポートにより送信される信号は、受信機により更に分解されないように設計されてもよい。
【００３７】
或る状況では、UE-RSから測定される干渉は、同じアンテナポートにより後に送信されるEPDCCHリソースエレメント（RE：resource  element）により受ける干渉に一致しなくてもよい。これは、完全に重複したFDM／CDMのUE-RSに関連する周波数分割多重（FDM）／符号分割多重（CDM）のECCEのためでもよい。
【００３８】
セル間干渉の不一致は、以下のように説明され得る。セルAがECCE0をUE1に送信するためにUE-RSアンテナポート7を使用し、周辺セルBがeCCE1をUE2に送信するためにUE-RSアンテナポート8を使用することを仮定する。2の長さ(OCC-2)REを有する一対の直交カバーコードからの受信信号は、以下のように記載される。
【００３９】
【数５】
0006483209.tif 000006
ただし、x0及びx1はセルAについての第１及び第２のUE-RSのREにおける参照信号系列であり、x2及びx3はセルBについての第１及び第２のUE-RSのREにおける参照信号系列であり、H0及びH1はセルA及びセルBからUE1へのチャネルであり、y0及びy1は第１及び第２のUE-RSのRSにおける受信信号である。
【００４０】
潜在的に不一致のセル間干渉を除去するために、UE1は、まず、例えばスクランブリング解除回路228を使用してスクランブリング解除し、例えば、
【００４１】
【数６】
0006483209.tif 000007
を使用することにより、復号化回路232を使用してOOC-2復号化を行ってもよい。
【００４２】
実施例によるセルA及びセルBのサブフレームを示す図３及び式4に基づいて、DCIは、セル間干渉を受けないことがあるが、式4のUE-RSは、項“(x2*x0T-x3*x1T)H1”により表されるセル間干渉を含む。これは、干渉の不一致を生じ、性能を劣化させる可能性がある。
【００４３】
潜在的に不一致のセル間干渉は、以下の式が満たされた場合に除去され得る。
【００４４】
【数７】
0006483209.tif 000008
式5は、共通スクランブリング系列がOCC-2  UE-RSのREの対の双方のREに使用される場合に満たされてもよい。これは、x0=x1及びx2=x3を生じてもよい。
【００４５】
関連するEPDCCHについて割り当てられた物理リソースブロックnPRBにおいてアンテナポートpについてOOC-2  UE-RSのREの対の双方のREに同じスクランブリング系列を使用する場合、変調回路220は、
【００４６】
【数８】
0006483209.tif 000009
に従って通常のサイクリックプレフィクスを使用して、参照信号系列r(m)の少なくとも一部をサブフレームの複素数値の変調シンボルak,l(p)にマッピングしてもよい。ただし、NRBmax,DLはシステム帯域幅が与えられたときの下りリンクリソースブロックの最大数である。
【００４７】
【数９】
0006483209.tif 000010
※特別なサブフレーム構成については、3GPP  TS  36.211  v10.5.0（2012年6月）のTable  4.2-1を参照のこと。
【００４８】
通常のサイクリックプレフィクスの系列
【００４９】
【数１０】
0006483209.tif 000011
は、表１により与えられてもよい。
【００５０】
【表１】
0006483209.tif 000012
式6がOOC-2  UE-RSのREの対について同じスクランブリング系列を使用することを仮定すると、UE-RSのREにおけるセル間干渉のランダム化に何らかの影響が存在する可能性がある。これは、何個のUE-RSアンテナポートnpが使用されるかに応じてUE-RSポート特有のスクランブリング系列を適用することにより克服されてもよい。これは、式6が
【００５１】
【数１１】
0006483209.tif 000013
に変更されることを生じてもよい。
【００５２】
最大の擬似乱数系列の長さは、UE-RSについて12*np*NRBmax,DLとして規定されてもよい点に留意すべきである。式7において8個のUE-RSのアンテナポートのアンテナポート特有の長さを満たすために、一実施例の最大の系列の長さは、12*np*NRBmax,DLになってもよい。すなわち、UE-RS系列r(m)は、以下のように8個までのアンテナポート（例えば、np=8）をカバーするように一般化されてもよい。
【００５３】
【数１２】
0006483209.tif 000014
擬似乱数系列c(i)は前述のように規定されてもよく、或る実施例では、スクランブリング回路216のスクランブリング系列生成器は、
【００５４】
【数１３】
0006483209.tif 000015
で初期化されてもよい。ただし、NIDcellは物理セルID又は仮想セルIDであり、CoMPのシナリオで使用される場合には複数の送信ポイントのうち１つを示してもよい。例えば、EPDCCHセット0は、セル#0からNIDcell#0で送信されてもよく、EPDCCHセット1は、セル#1からNIDcell#1で送信されてもよい。他の例では、EPDCCHセット0及びEPDCCHセット1は、セル#0（又はセル#1）からNIDcell#0（又はNIDcell#1）で送信されてもよい。nSCIDの値は、定数値（例えば、0,1,2,...）でもよい。アンテナポート7又は8におけるPDSCH送信では、nSCIDはPDSCH送信に関連するDCIフォーマット2B又は2Cにより与えられてもよい。DCIフォーマット2Bの場合には、nSCIDはスクランブリング・アイデンティティ・フィールドにより示されてもよい。
【００５５】
アンテナポートの数が2まで（例えば、アンテナポート7及び8）の場合（例えば、np=2）、UE-RS系列r(m)は式8により与えられてもよい。ただし、以下の通りである。
【００５６】
【数１４】
0006483209.tif 000016
図４は、或る実施例によるRx回路400を示している。Rx回路400は、チャネル推定回路404と、補償回路408とを含んでもよく、UEがOCCからの拡散解除（de-spreading）動作によりアンテナポートのチャネルを推定することを試みるときに、残留干渉によって観測され得る直交性の問題に対処するように構成されてもよい。以下に記載する実施例は、残留干渉を低減し得る。
【００５７】
図５〜８は、或る実施例による通常のCPを使用したEPDCCHの例示的なUE-RSパターンを示している。特に、図５は、特別のサブフレーム構成1、2、6又は7を用いたアンテナポート7のUE-RSパターン504と、特別のサブフレーム構成3、4又は8を用いたアンテナポート7のUE-RSパターン508と、全ての他の下りリンクサブフレームを用いたアンテナポート7のUE-RSパターン512とを示している。図６は、特別のサブフレーム構成1、2、6又は7を用いたアンテナポート8のUE-RSパターン604と、特別のサブフレーム構成3、4又は8を用いたアンテナポート8のUE-RSパターン608と、全ての他の下りリンクサブフレームを用いたアンテナポート8のUE-RSパターン612とを示している。図７は、特別のサブフレーム構成1、2、6又は7を用いたアンテナポート9のUE-RSパターン704と、特別のサブフレーム構成3、4又は8を用いたアンテナポート9のUE-RSパターン708と、全ての他の下りリンクサブフレームを用いたアンテナポート9のUE-RSパターン712とを示している。図８は、特別のサブフレーム構成1、2、6又は7を用いたアンテナポート10のUE-RSパターン804と、特別のサブフレーム構成3、4又は8を用いたアンテナポート10のUE-RSパターン808と、全ての他の下りリンクサブフレームを用いたアンテナポート10のUE-RSパターン812とを示している。
【００５８】
対応するPDSCH送信に割り当てられた周波数領域のインデックスnPRBでのPRBにおけるアンテナポートp=7、p=8又はp=7、8,...,v+6について、RS系列r(m)の一部は、式6、式7又は式10に従って通常のCPを用いたサブフレームにおける複素数値の変調シンボルak,l(p)にマッピングされてもよい。
【００５９】
【数１５】
0006483209.tif 000017
ローカライズEPDCCHの場合、マルチユーザ（MU：multiple-user）MIMOは、２つのUEが同じPRBを共有することを可能にし得る。この場合、CDMにより区別される２つの異なるアンテナポート（例えば、アンテナポート7及び8）は、UE毎のチャネル推定に使用されてもよい。例えば、それぞれのチャネルを推定するために、アンテナポート7は、UE#0のチャネル推定回路により使用されてもよく、アンテナポート8は、UE#1のチャネル推定回路により使用されてもよい。同じリソースを共有するがCDMにより区別されるOFDMシンボルの対（例えば、OFDMシンボル0）は、CDMグループと呼ばれてもよい。チャネル推定回路は、直交カバーコードに基づいて拡散解除を実行することにより、CDMグループのどのシンボルがそれぞれのUEに指示されているかを決定してもよい。
【００６０】
或る実施例では、スクランブリング回路216のスクランブリング系列生成器は、例えば、
【００６１】
【数１６】
0006483209.tif 000018
によりアンテナポート7-10のEPDCCHのUE-RSを生成してもよい。ただし、XはEPDCCHセットの0-503の範囲でUE特有のRRCパラメータとして提供された仮想セルIDでもよい。チャネル推定回路404は、DCIをスクランブリング解除するスクランブリング解除回路228に関して前述したものと同様に、仮想セルIDを使用してUE-RSをスクランブリング解除してもよい。
【００６２】
UE#0がX=X0でアンテナポート7を使用し、UE#1がX=X1でアンテナポート8を使用する場合、２つの隣接するOFDMシンボルの受信信号は以下のように表されてもよい。
【００６３】
【数１７】
0006483209.tif 000019
【００６４】
【数１８】
0006483209.tif 000020
ただし、R0はOFDMシンボル0の受信信号であり、R1はOFDMシンボル1の受信信号であり、C0UE#0はUE#0についてのOFDMシンボル0の参照信号系列であり（X=X0により初期化されている）、C1UE#0はUE#0についてのOFDMシンボル1の参照信号系列であり（X=X0により初期化されている）、C0UE#1はUE#1についてのOFDMシンボル0の参照信号系列であり（X=X1により初期化されている）、C1UE#1はUE#1についてのOFDMシンボル1の参照信号系列であり（X=X1により初期化されている）、W7(0)はOFDMシンボル0のアンテナポート7についてのWalsh符号であり（W7(0)=+1）、W7(1)はOFDMシンボル1のアンテナポート7についてのWalsh符号であり（W7(1)=+1）、W8(0)はOFDMシンボル0のアンテナポート8についてのWalsh符号であり（W8(0)=+1）、W8(1)はOFDMシンボル1のアンテナポート8についてのWalsh符号であり（W8(1)=-1）、HUE#0はアンテナポート7で受けるUE#0のチャネルであり、HUE#1はアンテナポート8で受けるUE#1のチャネルである。
【００６５】
説明を容易にするために、隣接するOFDMシンボルのUEについてのチャネルが同じであり、雑音／干渉の項が省略されることを仮定し得る。或る実施例では、チャネル推定回路（例えば、チャネル推定回路404）は、以下の受信処理を使用することにより、UE#0のアンテナポート7においてHUE#0を推定してもよい。
【００６６】
【数１９】
0006483209.tif 000021
ただし、(.)*は複素共役演算である。
【００６７】
チャネル推定回路404は、以下の受信処理を使用することにより、UE#1のアンテナポート8においてHUE#1を推定してもよい。
【００６８】
【数２０】
0006483209.tif 000022
式12及び13から、式14及び15はそれぞれ式16及び17になる。
【００６９】
【数２１】
0006483209.tif 000023
【００７０】
【数２２】
0006483209.tif 000024
各UEによる各チャネルを推定するために、干渉の項を取り消すために以下の条件のいずれかが満たされるべきである。
-条件1)C0UE#0=C0UE#1且つC1UE#0=C1UE#1
-条件2)C0UE#0=C1UE#0且つC0UE#1=C1UE#1
従って、条件1は、第１のアンテナポートを使用した第１のUEについての第１のOFDMシンボルにおける参照信号系列が第２のアンテナポートを使用した第２のUEについての第１のOFDMシンボルにおける参照信号系列と同じであり、第１のUEについての第２のOFDMシンボルにおける参照信号系列が第２のUEについての第２のOFDMシンボルにおける参照信号系列と同じであることを提供する。条件1により、式16及び17はそれぞれ式18及び19になる。
【００７１】
【数２３】
0006483209.tif 000025
【００７２】
【数２４】
0006483209.tif 000026
式10により実現され得る条件2は、第１のアンテナポートを使用した第１のUEについての第１のOFDMシンボルにおける参照信号系列が第１のUEについての第２のOFDMシンボルにおける参照信号系列と同じであり、第２のアンテナポートを使用した第２のUEについての第１のOFDMシンボルにおける参照信号系列が第２のUEについての第２のOFDMシンボルにおける参照信号系列と同じであることを提供する。条件2により、式19及び20はそれぞれ式20及び21になる。
【００７３】
【数２５】
0006483209.tif 000027
【００７４】
【数２６】
0006483209.tif 000028
このように、チャネル推定回路（例えば、チャネル推定回路404）は、UEの対のそれぞれについてチャネルを直交的に推定してもよい。補償回路408は、チャネル推定回路404からチャネルの推定を受信し、受信信号（チャネル推定回路404から受信したもの又は他のどこか（例えば、アンテナ）から受信したもの）を補償してもよい。補償された信号は、復調回路224のような他のRx回路に送信されてもよい。
【００７５】
条件1が実現される場合、eNB108は、同じRS系列を有する２つのUEについてMU-MIMOを対にしてもよい。チャネル推定回路404は、同じRS系列がアンテナポートの対（例えば、アンテナポート7及びアンテナポート8）に使用されることを仮定してもよく、CDMグループの所望のシンボルを受信するために、仮定に基づいて受信したMU-MIMO信号で拡散解除動作を実行してもよい。
【００７６】
或る実施例では、UE104は、同じ参照信号系列r(m)がCDMグループ（例えば、アンテナポート7及び8、9及び10、11及び13、又は12及び14）内のREで使用されているという仮定に基づいてEPDCCHのブラインド復号化を実行してもよい。ブラインド復号化は、どのECCEがUEに指示されたEPDCCHを伝達するかを決定する試みとしてUEにより実行されてもよい。
【００７７】
図９は、実施例によるブライド復号化の方法900を示している。
【００７８】
904において、方法900は、参照信号系列がアンテナポートの対について同じであることを仮定することを含んでもよい。従って、UEとeNBとの間の通信について第１のアンテナポートで受信された参照信号系列はまた、第２のアンテナポートの通信にも使用されてもよい。第２のアンテナポートの通信は、eNBと他のUEとの間でもよい。
【００７９】
908において、方法900は、チャネルを推定することを含んでもよい。チャネルの推定は、904の仮定に基づいてもよい。
【００８０】
912において、方法900は、チャネルを補償することを含んでもよい。チャネルの補償は、908の推定に基づいてもよい。
【００８１】
916において、方法900は、補償されたチャネルに基づいて（従って、参照信号系列が第１及び第２のアンテナポートで同じであるという仮定に基づいて）ブラインド復号化を実行することを含んでもよい。ブラインド復号化の実行は、アンテナポートの対の１つ以上に関連するEPDCCHの候補を監視することを含んでもよい。
【００８２】
ここに記載するUE104及びeNB108は、所望のように構成されるいずれか適切なハードウェア及び／又はソフトウェアを使用してシステムに実装されてもよい。図１０は、一実施例について、１つ以上のプロセッサ1004と、少なくとも１つのプロセッサ1004に結合されたシステム制御ロジック1008と、システム制御ロジック1008に結合されたシステムメモリ1012と、システム制御ロジック1008に結合された不揮発性メモリ（NVM）／記憶装置1016と、システム制御ロジック1008に結合されたネットワークインタフェース1020と、システム制御ロジック1008に結合された入出力（I/O）デバイス1032とを有する例示的なシステム1000を示している。
【００８３】
プロセッサ1004は、１つ以上のシングルコア又はマルチコアプロセッサを含んでもよい。プロセッサ1004は、汎用プロセッサ及び専用プロセッサ（例えば、グラフィックスプロセッサ、アプリケーションプロセッサ、ベースバンドプロセッサ等）のいずれかの組み合わせを含んでもよい。
【００８４】
一実施例のシステム制御ロジック1008は、少なくとも１つのプロセッサ1004及び／又はシステム制御ロジック1008と通信するいずれか適切なデバイス又は構成要素へのいずれか適切なインタフェースを提供するいずれか適切なインタフェースコントローラを含んでもよい。
【００８５】
一実施例のシステム制御ロジック1008は、システムメモリ1012へのインタフェースを提供する１つ以上のメモリコントローラを含んでもよい。システムメモリ1012は、データ及び／又は命令（例えば、通信ロジック1024）をロード及び格納するために使用されてもよい。一実施例のシステムメモリ1012は、例えば、適切なダイナミックランダムアクセスメモリ（DRAM）のようないずれか適切な揮発性メモリを含んでもよい。
【００８６】
NVM／記憶装置1016は、データ及び／又は命令（例えば、通信ロジック1024）を格納するために使用される１つ以上の有形の過渡的でないコンピュータ読み取り可能媒体を含んでもよい。NVM／記憶装置1016は、例えば、フラッシュメモリのようないずれか適切な不揮発性メモリを含んでもよく、及び／又は、例えば、１つ以上のハードディスクドライブ（HDD）、１つ以上のコンパクトディスク（CD）ドライブ及び／又は１つ以上のデジタル多目的ディスク（DVD）ドライブのようないずれか適切な不揮発性記憶デバイスを含んでもよい。
【００８７】
NVM／記憶装置1016は、システム1000がインストールされたデバイスの物理的な一部である記憶リソースを含んでもよく、デバイスの一部によりアクセスされてもよいが、必ずしも必要であるとは限らない。例えば、NVM／記憶装置1016は、ネットワークインタフェース1020及び／又は入出力（I/O）デバイス1032を介してネットワークでアクセスされてもよい。
【００８８】
通信ロジック1024は、１つ以上のプロセッサ1004により実行された場合、システム1000に対して前述の実施例に関して説明した通信デバイス112又は122の構成要素に関連する動作を実行させる命令を含んでもよい。様々な実施例では、通信ロジック1024は、システム1000に明示的に示されていてもよく、示されていなくてもよいハードウェア、ソフトウェア及び／又はファームウェアコンポーネントを含んでもよい。
【００８９】
ネットワークインタフェース1020は、１つ以上のネットワークで通信するために、及び／又は他の適切なデバイスと通信するために、システム1000の無線インタフェースを提供する送受信機1022を有してもよい。様々な実施例では、送受信機1022は、システム1000の他の構成要素と統合されてもよい。例えば、送受信機1022は、プロセッサ1004のうちのプロセッサ、システムメモリ1012のメモリ、NVM／記憶装置1016のうちのNVM／記憶装置を含んでもよい。ネットワークインタフェース1020は、いずれか適切なハードウェア及び／又はファームウェアを含んでもよい。ネットワークインタフェース1020は、複数のMIMO（multiple  input,  multiple  output）無線インタフェースを提供する複数のアンテナを含んでもよい。一実施例のネットワークインタフェース1020は、例えば、有線ネットワークアダプタ、無線ネットワークアダプタ、電話モデム及び／又は無線モデムを含んでもよい。
【００９０】
一実施例では、少なくとも１つのプロセッサ1004は、システム制御ロジック108の１つ以上のコントローラのロジックと共にパッケージ化されてもよい。一実施例では、少なくとも１つのプロセッサ1004は、SiP（System  in  Package）を形成するようにシステム制御ロジック1008の１つ以上のコントローラのロジックと共にパッケージ化されてもよい。一実施例では、少なくとも１つのプロセッサ1004は、システム制御ロジック1008の１つ以上のコントローラのロジックと同じダイに集積されてもよい。一実施例では、少なくとも１つのプロセッサ1004は、SoC（System  on  Chip）を形成するようにシステム制御ロジック1008の１つ以上のコントローラのロジックと同じダイに集積されてもよい。
【００９１】
様々な実施例では、I/Oデバイス1032は、システム1000とのユーザ相互作用を可能にするように設計されたユーザインタフェース、システム1000との周辺機器コンポーネントの相互作用を可能にするように構成された周辺機器コンポーネントインタフェース、及び／又はシステム1000に関係する環境条件及び／又は位置情報を決定するように設計されたセンサを含んでもよい。
【００９２】
様々な実施例では、ユーザインタフェースは、ディスプレイ（例えば、液晶ディスプレイ、タッチスクリーンディスプレイ等）、スピーカ、マイクロフォン、１つ以上のカメラ（例えば、静止画カメラ及び／又はビデオカメラ）、フラッシュライト（例えば、発光ダイオードのフラッシュ）及びキーボードを含んでもよいが、これらに限定されない。
【００９３】
様々な実施例では、周辺機器コンポーネントインタフェースは、不揮発性メモリポート、USB（universal  serial  bus）ポート、オーディオジャック、及び電源インタフェースを含んでもよいが、これらに限定されない。
【００９４】
様々な実施例では、センサは、ジャイロセンサ、加速度計、近接センサ、周辺光センサ、及び測位ユニットを含んでもよいが、これらに限定されない。測位ユニットはまた、測位ネットワーク（例えば、GPS（global  positioning  system）衛星）の構成要素と通信するためにネットワークインタフェース1020の一部でもよく、ネットワークインタフェース1020と相互作用してもよい。
【００９５】
様々な実施例では、システム1000は、ラップトップコンピュータデバイス、タブレットコンピュータデバイス、ネットブック、スマートフォン等のようなモバイルコンピュータデバイスでもよい。様々な実施例では、システム1000は、より多くの構成要素又はより少ない構成要素を有してもよく、及び／又は異なるアーキテクチャを有してもよい。
【００９６】
説明の目的で特定の実施例について図示及び説明したが、この開示の範囲を逸脱することなく、同じ目的を実現するように計算された広範囲の代替及び／又は等価の実施例又は実装が、図示及び記載の実施例について置換されてもよい。この出願は、ここで説明した実施例のいずれかの適応又は変更をカバーすることを意図する。従って、ここに記載の実施例は、特許請求の範囲及びその均等物のみにより限定されることを明らかに意図する。
【００９７】
ｆいくつかの非限定的な例が以下に提供される。
【００９８】
例１はeNB（enhanced  node  B）において使用される装置を含み、この装置は、拡張された物理下りリンク制御チャネル（EPDCCH）で送信される下りリンク制御情報（DCI）を含むビット系列を受信し、セル識別子に基づいてビット系列をスクランブリングし、スクランブリングされたビット系列を提供するスクランブリング回路と、スクランブリング回路に結合され、スクランブリングされたビットを受信し、四相位相シフトキーイング変調方式でスクランブリングされたビットを変調し、複素数値の変調シンボルのブロックを提供する変調回路とを有する。
【００９９】
例２は例１の装置を含み、スクランブリング初期化シードは、セル識別子を含み、スクランブリング回路は、スクランブリング初期化シードに基づいてDCIビットをスクランブリングする。
【０１００】
例３は例１の装置を含み、セル識別子は、無線リソース制御レイヤによりスクランブリング回路に提供された仮想セル識別子である。
【０１０１】
例４は例３の装置を含み、DCIは、第１のEPDCCHセットで送信され、仮想セル識別子は、第１のEPDCCHセットに対応する。
【０１０２】
例５は例３の装置を含み、仮想セル識別子に基づいてEPDCCHに関連する復調用参照信号を生成する参照信号（RS）生成器を更に有する。
【０１０３】
例６は例１の装置を含み、セル識別子は、物理セル識別子である。
【０１０４】
例７は例１ないし６のいずれかの装置を含み、DCI及びCRCビットを含むビット系列を生成し、DCIの対象の受信者であるユーザ装置のRNTI（radio  network  temporary  identity）に基づいてビット系列をマスキングする巡回冗長検査（CRC）生成及びマスキング回路を更に有する。
【０１０５】
例８は例１ないし５のいずれかの装置を含み、セル識別子は、無線リソース制御（RRC）シグナリングにより構成される。
【０１０６】
例９は、ユーザ装置において使用される装置を含み、この装置は、下りリンク制御情報（DCI）を含む拡張された物理下りリンク制御チャネル（EPDCCH）セットの複素数値の変調シンボルを受信し、複素数値の変調シンボルを復調し、ビット系列を提供する復調回路と、復調回路に結合され、EPDCCHセットに対応する初期化シードパラメータに基づいてビット系列をスクランブリング解除し、スクランブリング解除されたビット系列を提供するスクランブリング解除回路とを有する。
【０１０７】
例１０は例９の装置を含み、初期化シードパラメータは、仮想セル識別子であり、スクランブリング解除回路は、無線リソース制御レイヤから仮想セル識別子を受信するように構成される。
【０１０８】
例１１は例１０の装置を含み、復調回路は、他のEPDCCHセットの複素数値の変調シンボルを受信し、複素数値の変調シンボルを復調し、他のビット系列を提供し、スクランブリング解除回路は、他のEPDCCHセットに対応する初期化シードパラメータに基づいて他のビット系列をスクランブリング解除し、他のスクランブリング解除されたビット系列を提供する。
【０１０９】
例１２は例９の装置を含み、セル識別子は、物理セル識別子であり、ユーザ装置は、eNB（evolved  Node  B）からプライマリ及びセカンダリ同期信号を受信し、プライマリ及びセカンダリ同期信号に基づいて物理セル識別子を決定し、物理セル識別子をスクランブリング解除回路に提供する制御回路を更に有する。
【０１１０】
図１３は図９ないし１１のいずれかの装置を含み、セル識別子は、無線リソース制御（RRC）シグナリングにより構成される。
【０１１１】
例１４は、eNB（enhanced  node  B）において使用される装置を含み、この装置は、直交カバーコード（OCC）のユーザ装置参照信号（UE-RS）のリソースエレメント（RE）の対で送信されるRS系列を生成する参照信号（RS）生成器と、双方のREについて共通のスクランブリング系列を使用するスクランブリング回路とを有する。
【０１１２】
例１５は例１４の装置を含み、RS系列はr(m)であり、
【０１１３】
【数２７】
0006483209.tif 000029
により与えられる。
【０１１４】
例１６は例１４の装置を含み、RS系列はr(m)であり、２つのアンテナポートにより送信され、
【０１１５】
【数２８】
0006483209.tif 000030
により与えられる。
【０１１６】
例１７は例１４の装置を含み、
【０１１７】
【数２９】
0006483209.tif 000031
に従って、通常のサイクリックプレフィクスを使用して参照信号系列r(m)の少なくとも一部をサブフレームにおける複素数値の変調シンボルak,l(p)にマッピングし、ただし、NRBmax,DLはリソースブロックにおける下りリンクリソースエレメントの最大数であり、
【０１１８】
【数３０】
0006483209.tif 000032
である。
【０１１９】
例１８は、例１４ないし１７のいずれかの装置を含み、共通のスクランブリング系列は、仮想セル識別子に基づく。
【０１２０】
例１９は例１８の装置を含み、仮想セル識別子をスクランブリング回路に提供する無線リソース制御レイヤを更に有する。
【０１２１】
例２０はユーザ装置において使用される装置を含み、この装置は、直交周波数分割多重（OFDM）シンボルにおいて第１のアンテナポートについての参照信号系列を受信し、参照信号系列が第２のアンテナポートで他のUEに送信されるという仮定及び受信した参照信号系列に基づいてUEの第１のアンテナポートについてチャネルを推定するチャネル推定回路と、チャネル推定回路に結合され、チャネルの推定を受信し、受信した信号を補償するチャネル補償回路とを有する。
【０１２２】
例２１は例２０の装置を含み、チャネル推定回路は、仮定に基づいて受信信号で拡散解除動作を実行する。
【０１２３】
例２２は例２１の装置を含み、拡散解除動作は、直交カバーコードに基づく。
【０１２４】
例２３は実行された場合、ユーザ装置に対して、UEとenhanced  node  Bとの間の通信のために第１のアンテナポートで受信された参照信号系列が第２のアンテナポートの通信にも使用されることを仮定させ、この仮定に基づいて拡張された物理下りリンク制御チャネル（EPDCCH）のブラインド復号化動作を実行させる命令を有する１つ以上のコンピュータ読み取り可能媒体を含む。
【０１２５】
例２４は例２３の１つ以上のコンピュータ読み取り可能媒体を含み、命令は、実行された場合、ユーザ装置に対して、更に、直交周波数分割多重（OFDM）シンボルにおいて第１のアンテナポートについての参照信号系列を処理させ、参照信号系列が第２のアンテナポートの通信にも使用されるという仮定及び参照信号系列に基づいてUEの第１のアンテナポートについてチャネルを推定させる。
【０１２６】
例２５は例２４の１つ以上のコンピュータ読み取り可能媒体を含み、命令は、実行された場合、ユーザ装置に対して、更に、チャネルの推定に基づいて受信信号を補償させる。
【０１２７】
例２６はユーザ装置において使用される装置を含み、この装置は、UEとenhanced  node  Bとの間の通信のために第１のアンテナポートで受信された参照信号系列が第２のアンテナポートの通信にも使用されることを仮定し、この仮定に基づいて拡張された物理下りリンク制御チャネル（EPDCCH）のブラインド復号化動作を実行する手段を有する。
【０１２８】
例２７は例２６の装置を含み、直交周波数分割多重（OFDM）シンボルにおいて第１のアンテナポートについての参照信号系列を処理する手段と、参照信号系列が第２のアンテナポートの通信にも使用されるという仮定及び参照信号系列に基づいてUEの第１のアンテナポートについてチャネルを推定する手段とを更に有する。
【０１２９】
例２８は例２６の装置を含み、チャネルの推定に基づいて受信信号を補償する手段を更に有する。
【０１３０】
例２９は方法であり、下りリンク制御情報（DCI）を含む拡張された物理下りリンク制御チャネル（EPDCCH）セットの複素数値の変調シンボルを受信し、複素数値の変調シンボルを復調し、ビット系列を提供し、EPDCCHセットに対応する初期化シードパラメータに基づいてビット系列をスクランブリング解除し、スクランブリング解除されたビット系列を提供することを有する。
【０１３１】
例３０は例２９の方法を含み、初期化シードパラメータは、仮想セル識別子であり、この方法は、無線リソース制御レイヤから仮想セル識別子を受信することを更に有する。
【０１３２】
例３１は例２９ないし３０のいずれかの方法を含み、セル識別子は、無線リソース制御（RRC）シグナリングにより構成される。
【０１３３】
例３２はeNB（enhanced  node  B）において使用される装置を含み、この装置は、直交カバーコード（OCC）のユーザ装置参照信号（UE-RS）のリソースエレメント（RE）の対で送信されるRS系列を生成する手段と、共通のスクランブリング系列を使用して双方のREをスクランブリングする手段とを有する。
【０１３４】
例３３は例３２の装置を含み、RS系列はr(m)であり、
【０１３５】
【数３１】
0006483209.tif 000033
又は
【０１３６】
【数３２】
0006483209.tif 000034
により与えられる。
【０１３７】
例３４は例３２の装置を含み、
【０１３８】
【数３３】
0006483209.tif 000035
に従って、通常のサイクリックプレフィクスを使用して参照信号系列r(m)の少なくとも一部をサブフレームにおける複素数値の変調シンボルak,l(p)にマッピングし、ただし、NRBmax,DLはリソースブロックにおける下りリンクリソースエレメントの最大数であり、
【０１３９】
【数３４】
0006483209.tif 000036
である。
【０１４０】
例３５は例３２ないし３４のいずれかの装置を含み、共通のスクランブリング系列は、仮想セル識別子に基づく。
【０１４１】
例３６は方法を含み、ユーザ装置により、UEとenhanced  node  Bとの間の通信のために第１のアンテナポートで受信された参照信号系列が第２のアンテナポートの通信にも使用されることを仮定し、この仮定に基づいて拡張された物理下りリンク制御チャネル（EPDCCH）のブラインド復号化動作を実行することを有する。
【０１４２】
例３７は例３６の方法を含み、直交周波数分割多重（OFDM）シンボルにおいて第１のアンテナポートについての参照信号系列を受信し、参照信号系列が第２のアンテナポートの通信にも使用されるという仮定及び参照信号系列の受信に基づいてUEの第１のアンテナポートについてチャネルを推定することを更に有する。
【０１４３】
例３８は例３７の方法を含み、チャネルの推定に基づいて受信信号を補償することを更に有する。
【図１】
0006483209.tif 000043
【図２】
0006483209.tif 000044
【図３】
0006483209.tif 000045
【図４】
0006483209.tif 000046
【図５】
0006483209.tif 000047
【図６】
0006483209.tif 000048
【図７】
0006483209.tif 000049
【図８】
0006483209.tif 000050
【図９】
0006483209.tif 000051
【図１０】
0006483209.tif 000052